(57)【特許請求の範囲】
【請求項１】
複数の監視区域を監視する監視システムにおいて、
前記複数の監視区域内にそれぞれ設けられたＷｅｂサーバ機能を有する複数の機器と、
前記複数の監視区域内にそれぞれ設けられ同一監視区域内の前記機器のＷｅｂサーバにアクセスして情報を取得すると共に前記情報を接続された記憶装置に順次記録して蓄積するＷｅｂサーバ機能を有するローカルサーバと、
監視室に設けられ前記複数の監視区域内の前記ローカルサーバのＷｅｂサーバに汎用ブラウザを用いてそれぞれアクセスして前記情報の表示若しくは再生を行わせる監視端末と
を備えたことを特徴とする監視システム。
【請求項２】
前記ローカルサーバが、
前記監視区域と前記監視室との間を接続するネットワークの負荷を把握して制御することを特徴とする
請求項１記載の監視システム。
【請求項３】
前記ローカルサーバが、
前記ネットワークのトラフィック量が予め設定した閾値を超過した場合には、送信する情報の圧縮率を変えてデータのサイズを小さくしたり、若しくは、前記ロカールサーバに接続可能な汎用ブラウザの数を制限することによりトラフィック量を制御することを特徴とする
請求項２記載の監視システム。
【請求項４】
前記監視室に前記記憶装置に記録された情報と同じ情報を記録するバックアップ装置を設けたことを特徴とする
請求項１記載の監視システム。
【請求項５】
前記ローカルサーバが、
接点入力端子を備えてアラーム情報を取り込み、このアラーム情報と当該アラーム発生時の前記情報と同期して前記記憶装置に記録することを特徴とする
請求項１記載の監視システム。
【請求項６】
前記機器が、
Ｗｅｂサーバ機能を有する監視カメラであることを特徴とする
請求項１記載の監視システム。
【請求項７】
前記機器が、
Ｗｅｂサーバ機能を有するマイクであることを特徴とする
請求項１記載の監視システム。
【請求項８】
前記機器が、
Ｗｅｂサーバ機能を有するセンサであることを特徴とする
請求項１記載の監視システム。
【請求項９】
前記機器が、
Ｗｅｂサーバ機能を有する記録計であることを特徴とする
請求項１記載の監視システム。
【請求項１０】
前記機器が、
Ｗｅｂサーバ機能を有する指示計であることを特徴とする
請求項１記載の監視システム。
【発明の詳細な説明】
【０００１】
【発明の属する技術分野】
本発明は、監視区域における作業者の行動や機器の状態等の情報を監視する監視システムに関し、特にネットワークを介して情報の確認や機器の設定操作等が可能な監視システムに関する。
【０００２】
【従来の技術】
従来の監視システム、例えば、画像の監視システムでは監視区域に設置された監視カメラが撮影した画像を適宜選択して監視室側のモニタ画面に表示させることにより監視を行い。併せて、前記画像を録画しておくことにより後日等に監視画像の確認等を行っていた。
【０００３】
図１２はこのような従来の監視システムの一例を示す構成ブロック図である。図１２において１，２，３及び４は監視区域５０に設置された監視カメラ、５は画像切換装置、６は表示装置、７は録画装置であり、監視室５１内に設置される。
【０００４】
監視カメラ１〜４の出力信号である画像信号は画像切換装置５にそれぞれ接続される。画像切換装置５の出力は表示装置６及び録画装置７にそれぞれ接続される。
【０００５】
ここで、図１２に示す従来例の動作を説明する。監視区域５０に設置された監視カメラ１〜４でそれぞれ撮影された画像はＮＴＳＣ（National TV Standards Committee）等のアナログ信号として監視室５１の画像切換装置５に入力される。
【０００６】
画像切換装置５が送信されてきた画像信号から１若しくは複数の画像信号を選択して表示装置６に出力する。表示装置６は画像切換装置５から出力される画像信号を表示する。一方、録画装置７は画像切換装置５から出力される画像信号をビデオテープ等の記録媒体に録画する。
【０００７】
この結果、監視区域５０に監視カメラ１〜４を設置して個々の監視カメラの出力信号を画像切換装置５で適宜選択して表示装置６に表示し、若しくは、録画装置７で録画することにより、監視区域５０における作業者の行動や機器の状態等を画像により監視することが可能になる。
【０００８】
また、図１３は従来の監視システムの他の一例を示す構成ブロック図である。図１３において８，９，１０及び１１は監視区域５２に設置されたＷｅｂサーバ（World Wide Webサーバー）機能を有する監視カメラ、１２は監視区域５２に設置されたＬＡＮ（Local Area Network）のケーブルを集中して接続する集線装置であるハブ、１３は監視室５３に設置されたハブ、１４は監視室５３に設置された監視端末、１００はＬＡＮ等のネットワークである。
【０００９】
監視カメラ８〜１１のネットワーク出力はハブ１２にＬＡＮケーブル等により接続集線され、ハブ１２はネットワーク１００を介して監視室側のハブ１３に接続される。また、監視端末１４のネットワーク出力はＬＡＮケーブル等によりハブ１３に接続される。
【００１０】
ここで、図１３に示す従来例の動作を説明する。監視カメラ８〜１１はＷｅｂサーバ機能を有しているので、監視端末１４のオペレータは監視端末１４にインストールされている汎用ブラウザを用いて個々の監視カメラのＷｅｂサーバにアクセスすることにより、監視カメラが撮影した画像を監視端末１４にモニタ上に表示させることができる。
【００１１】
例えば、汎用ブラウザにより監視カメラ８にアクセスすることにより、監視カメラ８が撮影した画像を表示させることが可能になる。また、複数の汎用ブラウザを起動させて個々の汎用ブラウザで監視カメラ８〜１１にアクセスすれば、監視端末１４のモニタ上に複数枚の画像を表示させることができる。
【００１２】
この結果、監視カメラとしてＷｅｂサーバ機能を有する監視カメラを用い、監視端末から汎用ブラウザにより監視カメラに直接アクセスすることにより、監視区域５２における作業者の行動や機器の状態等を画像により監視することが可能になる。
【００１３】
【発明が解決しようとする課題】
しかし、図１２に示す従来例では監視カメラからの出力をアナログ信号として監視室まで配線する必要性があり、監視カメラの設置台数に比例して配線の引き回しのコストが大きくなると言った問題点があった。
【００１４】
また、図１２に示す従来例ではビデオテープ等の記憶媒体に撮影した画像を録画しているため、記録媒体の交換作業等が発生し、録画中の再生作業が不可能であると言った問題点があった。さらに、録画装置７の設定や各種操作は監視室５１に赴いて行う必要があった。
【００１５】
一方、図１３に示す従来例では監視カメラが設置された監視区域５２と監視室５３との間が１本のネットワーク１００により接続されているので、図１２に示す従来例と比較して配線コストが低減され、撮影された画像はディジタルデータとして監視端末１４のハードディスク等に記憶装置に蓄積することが可能になる。
【００１６】
但し、図１３に示す従来例では監視端末１４上で起動される汎用ブラウザと監視カメラが直接通信を行うため、ネットワーク１００の負荷が大きくなる。特に、表示させようとする監視カメラの設置台数の増加に伴いネットワーク１００の負荷が増大してしまうと言った問題点があった。
【００１７】
また、図１３に示す従来例では撮影された画像はディジタルデータとして監視端末１４のハードディスク等に記憶装置に蓄積することが可能であるが、監視端末１４側での集中管理になるため負荷等が大きくなる。特に、画像を蓄積する監視カメラの設置台数が多くなると高い処理能力のコンピュータが必要であり、且つ、膨大な記憶容量の記憶装置が必要になると言った問題点があった。
従って本発明が解決しようとする課題は、ネットワーク負荷を制御し、汎用コンピュータを用いてネットワーク経由の画像の確認や機器の設定操作が可能な監視システムを実現することにある。
【００１８】
【課題を解決するための手段】
このような課題を達成するために、本発明のうち請求項１記載の発明は、
複数の監視区域を監視する監視システムにおいて、
前記複数の監視区域内にそれぞれ設けられたＷｅｂサーバ機能を有する複数の機器と、前記複数の監視区域内にそれぞれ設けられ同一監視区域内の前記機器のＷｅｂサーバにアクセスして情報を取得すると共に前記情報を接続された記憶装置に順次記録して蓄積するＷｅｂサーバ機能を有するローカルサーバと、監視室に設けられ前記複数の監視区域内の前記ローカルサーバのＷｅｂサーバに汎用ブラウザを用いてそれぞれアクセスして前記情報の表示若しくは再生を行わせる監視端末とを備えたことにより、汎用ブラウザが動作する程度の汎用コンピュータを用いて情報の確認や機器の設定操作が可能になり、記録媒体の交換作業等が不要で、録画中の再生も可能になる。また、設定変更等もネットワーク経由で可能であり、ソフトウェアの変更等は不要になるので保守性が向上する。
【００１９】
請求項２記載の発明は、
請求項１記載の発明である監視システムにおいて、
前記ローカルサーバが、
前記監視区域と前記監視室との間を接続するネットワークの負荷を把握して制御することを特徴とすることにより、ローカルサーバにおいてネットワーク負荷を制御が可能になる。
【００２０】
請求項３記載の発明は、
請求項２記載の発明である監視システムにおいて、
前記ローカルサーバが、
前記ネットワークのトラフィック量が予め設定した閾値を超過した場合には、送信する情報の圧縮率を変えてデータのサイズを小さくしたり、若しくは、前記ロカールサーバに接続可能な汎用ブラウザの数を制限することによりトラフィック量を制御することにより、ローカルサーバにおいてネットワーク負荷を制御が可能になる。
【００２１】
請求項４記載の発明は、
請求項１記載の発明である監視システムにおいて、
前記監視室に前記記憶装置に記録された情報と同じ情報を記録するバックアップ装置を設けたことにより、情報が２重化された管理され、ローカルサーバに障害が発生した場合にはバックアップ装置に保存されている情報に基づきシステムの復旧が可能になる。
【００２２】
請求項５記載の発明は、
請求項１記載の発明である監視システムにおいて、
前記ローカルサーバが、
接点入力端子を備えてアラーム情報を取り込み、このアラーム情報と当該アラーム発生時の前記情報と同期して前記記憶装置に記録することにより、アラーム発生の情報とその時点での情報を得ることができるので、その後の解析等に有効である。
【００２３】
請求項６記載の発明は、
請求項１記載の発明である監視システムにおいて、
前記機器が、
Ｗｅｂサーバ機能を有する監視カメラであることにより、情報として得られた画像情報により監視を行うことができる。
【００２４】
請求項７記載の発明は、
請求項１記載の発明である監視システムにおいて、
前記機器が、
Ｗｅｂサーバ機能を有するマイクであることにより、情報として得られた音声情報により監視を行うことができる。を特徴とする請求項１記載の監視システム。
【００２５】
請求項８記載の発明は、
請求項１記載の発明である監視システムにおいて、
前記機器が、
Ｗｅｂサーバ機能を有するセンサであることにより、情報として得られたセンサ情報により監視を行うことができる。
【００２６】
請求項９記載の発明は、
請求項１記載の発明である監視システムにおいて、
前記機器が、
Ｗｅｂサーバ機能を有する記録計であることにより、情報として得られた記録情報により監視を行うことができる。
【００２７】
請求項１０記載の発明は、
請求項１記載の発明である監視システムにおいて、
前記機器が、
Ｗｅｂサーバ機能を有する指示計であることにより、情報として得られた指示情報により監視を行うことができる。
【００２９】
【発明の実施の形態】
以下本発明を図面を用いて詳細に説明する。図１は本発明に係る監視システムの一実施例を示す構成ブロック図である。
【００３０】
図１において８，９，１０，１１，１２，１３，１４及び１００は図１３と同一符号を付してあり、１５は監視区域５４内に設けられＷｅｂサーバ機能を有するローカルサーバ、１６は記憶装置、１７は監視室５５に設けられたバックアップ装置である。
【００３１】
監視カメラ８〜１１のネットワーク出力はハブ１２にＬＡＮケーブル等により接続集線され、記憶装置１６はローカルサーバ１５に接続され、ローカルサーバ１５のネットワーク出力はハブ１２にＬＡＮケーブル等により接続される。
【００３２】
また、ハブ１２はネットワーク１００を介して監視室５５側のハブ１３に接続され、監視端末１４及びバックアップ装置１７のネットワーク出力はＬＡＮケーブル等によりハブ１３に接続される。
【００３３】
ここで、図１に示す実施例の動作を図２、図３、図４、図５、図６、図７、図８及び図９を用いて説明する。図２及び図３はローカルサーバ１５の動作を説明するフロー図、図４〜図９は監視端末１４の汎用ブラウザで表示される表示画面の一例を示す説明図である。
【００３４】
監視室５５に設置された監視端末１４の汎用ブラウザは個々の監視カメラではなく、ローカルサーバ１５のＷｅｂサーバにネットワーク１００等を介してアクセスする。
【００３５】
ローカルサーバ１５は自らが設置された監視区域内に設置された監視カメラの画像等の情報を集中管理すると共に、監視端末１４（汎用ブラウザ）からのアクセスの有無に関わりなく、下記のような定常動作を行う。すなわち、図２中”Ｓ００１”においてローカルサーバ１５は設定された取得周期であるか否かを判断する。
【００３６】
図２中”Ｓ００１”において設定周期であれば、図２中”Ｓ００２”においてローカルサーバ１５はハブ１２を介して監視区域５４に設置された監視カメラ８〜１１のＷｅｂサーバにアクセスして各監視カメラ８〜１１で撮影された画像を取得する。
【００３７】
そして、図２中”Ｓ００３”において各監視カメラ８〜１１から取得した画像を記憶装置１６に順次記録して蓄積する。
【００３８】
また、バックアップ装置１７は画像の長期間保存を行う。すなわち、ローカルサーバ１５と並行して監視カメラから画像を取得し、テープやコンパクトディスク等の長期間の保存に適した記憶媒体に取得した画像を保存する。この場合、画像が２重化された管理され、ローカルサーバ１５に障害が発生した場合にはバックアップ装置１７に保存されているデータに基づきシステムの復旧が可能になる。
【００３９】
一方、ローカルサーバ１５に対して監視端末１４（汎用ブラウザ）からアクセスがあった場合、図３中”Ｓ１０１”においてローカルサーバ１５は現在撮影されている画像の要求があったか否かを判断し、現在撮影されている画像の要求があった場合には、図３中”Ｓ１０２”において各監視カメラ８〜１１から取得した画像を監視端末１４（汎用ブラウザ）に送信する。
【００４０】
ここで、監視端末１４（汎用ブラウザ）への情報の送信に際してローカルサーバ１５はネットワーク１００に伝播するトラフィック量を把握して、必要に応じて送信するデータ量を制御して、ネットワーク１００のトラフィック量を制御する。
【００４１】
例えば、ロカールサーバ１５からネットワーク１００へのトラフィック量を予め設定した閾値以内とする場合には、送信する画像の圧縮率を変えてデータのサイズを小さくしたり、若しくは、ロカールサーバ１５に接続可能な汎用ブラウザの数（コネクション数）を制限することによりトラフィック量を制御する。
【００４２】
そして、図３中”Ｓ１０２”において各監視カメラ８〜１１から取得した画像が監視端末１４（汎用ブラウザ）に送信されると、例えば、図４に示すような画面が表示される。
【００４３】
図４中”ＢＤ１１”に示す汎用ブラウザの表示画面上には図４中”ＴＬ１１”、”ＴＬ１２”及び”ＴＬ１３”に示すような”メインコンソール”、”サブコンソール”及び”システム管理”と言った項目が表示される。
【００４４】
さらに、図４中”ＨＬ１１”、”ＨＬ１２”、”ＨＬ１３”及び”ＨＬ１４”に示すような”モニタ画面”、”再生画面”、”モニタ画面”及び”システム操作画面”と言ったリンク先が表示される。
【００４５】
そして、図４中”ＰＤ１１”に示すカーソルをマウス等のポインティングデバイスで操作して、図４中”ＨＬ１１”に示すリンク先をクリックすれば、図５に示すような画面が表示される。
【００４６】
図５中”ＢＤ２１”に示す汎用ブラウザの表示画面上には図５中”ＩＡ２１”，”ＩＡ２２”、”ＩＡ２３、”ＩＡ２４”、”ＩＡ２５”、ＩＡ２６”、”ＩＡ２７”及び”ＩＡ２８”と言った８個のモニタ画像が表示され、図５中”ＭＡ２１”に示す部分には必要なメッセージ等が表示される。
【００４７】
図５に示す表示画面の例では８個の監視カメラをローカルサーバ１５が集中管理していると想定している。
【００４８】
さらに、図５中”ＰＤ２１”に示すカーソルをマウス等のポインティングデバイスで操作して、図５中”ＩＡ２１”に示すモニタ画像をクリックすれば、図６に示すような画面が表示される。
【００４９】
すなわち、図６”ＢＤ３１”に示す汎用ブラウザの表示画面上には図５中”ＩＡ３１”に示すようにクリックされた画像の拡大画像が表示される。また、図５に示す表示画面に戻る場合には、図６中”ＰＤ３１”に示すカーソルをマウス等のポインティングデバイスで操作して、図６中”ＲＢ３１”に示すボタンをクリックすれば良い。
【００５０】
図３中”Ｓ１０３”においてローカルサーバ１５は画像の再生要求があったか否かを判断し、画像の再生要求があった場合には、図３中”Ｓ１０４”において記憶装置１６に蓄積されている画像を順次読み出し再生して監視端末１４（汎用ブラウザ）に送信する。
【００５１】
例えば、図４中”ＰＤ１１”に示すカーソルをマウス等のポインティングデバイスで操作して、図４中”ＨＬ１２”に示すリンク先をクリックすれば、図７に示すような再生画面が表示される。
【００５２】
図７”ＢＤ２４”に示す汎用ブラウザの表示画面構成は基本的に図５に示す表示画面と同様であり、異なる点は図７中”ＰＢ４１”、”ＰＢ４２”、”ＰＢ４３”、”ＰＢ４４”、”ＰＢ４５”、”ＰＢ４６”及び”ＰＢ４７”に示すような再生、巻き戻し再生及び停止を指示するボタンが表示される点である。
【００５３】
例えば、図７中”ＰＤ４１”に示すカーソルをマウス等のポインティングデバイスで操作して、図７中”ＰＢ４５”に示すボタンをクリックすれば図７中上に８個の再生画面が表示され、図７中”ＰＢ４３”に示すボタンをクリックすれば図７中上に８個の再生画面が巻き戻し再生される。
【００５４】
さらに、図７中”ＰＤ４１”に示すカーソルをマウス等のポインティングデバイスで操作して、図７中”ＩＡ４１”に示す再生画像をクリックすれば、図８に示すような画面が表示される。
【００５５】
すなわち、図８中”ＢＤ５１”に示す汎用ブラウザの表示画面上には図８中”ＩＡ５１”に示すようにクリックされた再生画像の拡大画像が表示される。また、図７に示す表示画面に戻る場合には、図８中”ＰＤ５１”に示すカーソルをマウス等のポインティングデバイスで操作して、図８中”ＲＢ５１”に示すボタンをクリックすれば良い。
【００５６】
最後に、図３中”Ｓ１０５”においてローカルサーバ１５は各種設定の要求があったか否かを判断し、設定要求があった場合には、図３中”Ｓ１０６”において設定画面を監視端末１４（汎用ブラウザ）に送信する。
【００５７】
例えば、図４中”ＰＤ１１”に示すカーソルをマウス等のポインティングデバイスで操作して、図４中”ＨＬ１４”に示すリンク先をクリックすれば、図９に示すような設定画面が表示される。
【００５８】
図９はカメラグループの設定画面であり、図９中”ＢＤ６１”に示す汎用ブラウザの表示画面上では図９中”ＣＧ６１”に示すようなカメラグループ名の設定や、図９中”ＣＮ６１”に示すような各監視カメラ名の設定や、図９中”ＩＰ６１”に示すような各監視カメラに割り振られたＩＰ（Internet Protocol）アドレスの登録等が可能である。
【００５９】
さらに、図９中”ＣＣ６１”に示すようなリンク先を図９中”ＰＤ６１”に示すカーソルをマウス等のポインティングデバイスで操作してクリックすれば、各監視カメラのＷｅｂサーバに直接アクセスすることも可能である。
【００６０】
保守作業に際しては、例えば、監視カメラの追加や削除等を行う場合には監視カメラのネットワーク出力をＬＡＮケーブル等により監視区域５４内に設置されたハブ１３に接続、若しくは、引き抜く作業をした後、監視端末１４等からネットワーク経由で設定を行えば良いので、監視カメラやローカルサーバ１５におけるソフトウェアの変更等は不要になる。
【００６１】
また、図１０は本発明に係る監視システムの他の一実施例を示す構成ブロック図である。図１０において１３，１４，１７及び５５は図１と同一符号を付してあり、１８はＩＳＤＮ（Integrated Services Digital Network）ルータ等の接続装置、１９はＩＳＤＮ回線、公衆回線やインターネット等のネットワーク網、２０は遠隔監視端末、５４ａ，５４ｂ及び５４ｃは図１と同様の構成の監視区域，１００ａはネットワークである。
【００６２】
基本的な接続関係は図１に示す実施例とほぼ同様であり、異なる点は複数の監視区域５４ａ，５４ｂ及び５４ｃはネットワーク１００ａによりハブ１３に接続され、遠隔監視端末２０がネットワーク網１９及び接続装置１８を介してハブ１３に接続される点である。
【００６３】
ここで、図１０に示す実施例の動作を説明する。但し、図１に示す実施例と重複する部分に説明は省略する。各監視区域５４ａ〜５４ｃ内に設けられたローカルサーバは各監視区域５４ａ〜５４ｃ内に設置された監視カメラを集中管理し、撮影された画像を各記憶装置でそれぞれ管理される。
【００６４】
監視端末１４は各監視区域を構成単位として監視し、遠隔監視端末は遠隔地からネットワーク網１９を介して監視室５５内に設けられたハブ１３に接続し監視端末１４と同様に各監視区域を構成単位として監視する。
【００６５】
また、図１１はこのような複数の監視区域の監視画面の一例を示す説明図であり、図１１”ＢＤ７１”に示す汎用ブラウザの表示画面構成は図１１中”ＭＡ７１”、”ＭＡ７２”及び”ＭＡ７３”に示す監視区域が、図１１中”ＭＰ７１”に示す抽象化された地図に視覚的に配置されている。
【００６６】
そして、例えば、図１１中”ＰＤ７１”に示すカーソルをマウス等のポインティングデバイスで操作して、図１１中”ＭＡ７２”に示す監視区域をクリックすれば、当該監視区域に相当するローカルサーバに接続され、図４に示すような画面が表示される。
【００６７】
すなわち、複数の監視区域を監視する場合に、地図上に複数の監視区域を視覚的に配置し、１つの監視区域をクリックすれば該当する監視区域のローカルサーバに接続されようにすることにより、直感的に複数の監視区域を管理することができる。
【００６８】
この結果、監視区域５４の監視カメラを集中管理するローカルサーバ１５を設けることにより、当該ローカルサーバ１５においてネットワーク負荷を制御が可能になる。
【００６９】
また、監視カメラが撮影した画像をローカルサーバの記憶装置で分散管理することにより、汎用ブラウザが動作する程度の汎用コンピュータを用いて画像の確認や機器の設定操作が可能になる。また、記録媒体の交換作業等が不要で、録画中の再生も可能になる。
【００７０】
また、ローカルサーバが管理する監視区域を構成単位として監視することができ、設定変更等もネットワーク経由で可能であり、監視カメラやローカルサーバにおけるソフトウェアの変更等は不要になるので保守性が向上する。
【００７１】
なお、図１等に示す実施例のローカルサーバ１５に接点入力端子を設けアラーム情報を取り込み、当該アラーム発生時の画像データと同期して記憶装置１６を記録しても構わない。この場合には、アラーム発生の情報とその時点での画像を得ることができるので、その後の解析等に有効である。
【００７２】
また、図１等に示す実施例では監視区域に設けられたＷｅｂサーバ機能を有する監視カメラをローカルサーバで集中管理しているが、Ｗｅｂサーバ機能を有するその他の機器、例えば、Ｗｅｂ機能を有するマイク、Ｗｅｂ機能を有する温度センサや気圧センサ等のセンサ類、Ｗｅｂ機能を有する記録計、Ｗｅｂ機能を有する指示計、Ｗｅｂ機能を有するシーケンサや調節計等の制御装置等をローカルサーバで集中管理しても構わない。
【００７３】
Ｗｅｂサーバ機能を有しない上述のような機器であってもＷｅｂサーバ機能を有する汎用のコンピュータに接続しておき、これらの汎用コンピュータをローカルサーバで集中管理しても構わない。
【００７４】
また、Ｗｅｂサーバ機能を有する様々な機器を組合わせて監視区域を構成し、ローカルサーバにより集中管理しても構わない。
【００７５】
また、図１等に示す実施例では記憶装置１６には画像を情報として記録しているが、Ｗｅｂ機能を有するマイクであれば音声を情報として、Ｗｅｂ機能を有するセンサであれば検出した値等を情報として、Ｗｅｂ機能を有する記録計であれば記録内容を情報として、Ｗｅｂ機能を有する指示計であれば指示値を情報としてそれぞれ記憶装置１６に記録しても構わない。
【００７６】
また、本発明は図１等に示す実施例のような単純な監視システムのみならず、商店街監視システム、外食産業やドラックストア店舗の監視システム、宅配便配送業務監視システム、気象観測監視システム及び園児監視システム等の各種監視システムに適用が可能である。
【００７７】
【発明の効果】
以上説明したことから明らかなように、本発明によれば次のような効果がある。
請求項１の発明によれば、監視区域の機器を集中管理するローカルサーバを設けることにより、汎用ブラウザが動作する程度の汎用コンピュータを用いて情報の確認や機器の設定操作が可能になり、記録媒体の交換作業等が不要で、録画中の再生も可能になる。また、設定変更等もネットワーク経由で可能であり、ソフトウェアの変更等は不要になるので保守性が向上する。
【００７８】
また、請求項２及び請求項３の発明によれば、ローカルサーバが監視区域と監視室との間を接続するネットワークの負荷を把握して制御することにより、ネットワーク負荷の制御が可能になる。
【００７９】
また、請求項４の発明によれば、監視室に記憶装置に記録された情報と同じ情報を記録するバックアップ装置を設けることにより、情報が２重化された管理され、ローカルサーバに障害が発生した場合にはバックアップ装置に保存されている情報に基づきシステムの復旧が可能になる。
【００８０】
また、請求項５の発明によれば、接点入力端子を備えてアラーム情報を取り込み、このアラーム情報と当該アラーム発生時の情報と同期して記憶装置に記録することにより、アラーム発生の情報とその時点での情報を得ることができるので、その後の解析等に有効である。
【００８１】
また、請求項６乃至請求項１０の発明によれば、機器が、Ｗｅｂサーバ機能を有する監視カメラ、マイク、センサ、記録計及び指示計であることにより、情報として得られた画像情報、音声情報、センサ情報、記録情報及び指示情報により監視を行うことができる。
【図面の簡単な説明】
【図１】本発明に係る監視システムの一実施例を示す構成ブロック図である。
【図２】ローカルサーバの動作を説明するフロー図である。
【図３】ローカルサーバの動作を説明するフロー図である。
【図４】監視端末の汎用ブラウザで表示される表示画面の一例を示す説明図である。
【図５】監視端末の汎用ブラウザで表示される表示画面の一例を示す説明図である。
【図６】監視端末の汎用ブラウザで表示される表示画面の一例を示す説明図である。
【図７】監視端末の汎用ブラウザで表示される表示画面の一例を示す説明図である。
【図８】監視端末の汎用ブラウザで表示される表示画面の一例を示す説明図である。
【図９】監視端末の汎用ブラウザで表示される表示画面の一例を示す説明図である。
【図１０】本発明に係る監視システムの他の一実施例を示す構成ブロック図である。
【図１１】複数の監視区域の監視画面の一例を示す説明図である。
【図１２】従来の監視システムの一例を示す構成ブロック図である。
【図１３】従来の監視システムの他の一例を示す構成ブロック図である。
【符号の説明】
１，２，３，４，８，９，１０，１１  監視カメラ
５  画像切換装置
６  表示装置
７  録画装置
１２，１３  ハブ
１４  監視端末
１５  ローカルサーバ
１６  記憶装置
１７  バックアップ装置
１８  接続装置
１９  ネットワーク網
２０  遠隔監視端末
５０，５２，５４，５４ａ，５４ｂ，５４ｃ  監視区域
５１，５３，５５  監視室
１００，１００ａ  ネットワーク
【図１】
0003779147.tif 000002
【図２】
0003779147.tif 000003
【図３】
0003779147.tif 000004
【図４】
0003779147.tif 000005
【図５】
0003779147.tif 000006
【図６】
0003779147.tif 000007
【図７】
0003779147.tif 000008
【図８】
0003779147.tif 000009
【図９】
0003779147.tif 000010
【図１０】
0003779147.tif 000011
【図１１】
0003779147.tif 000012
【図１２】
0003779147.tif 000013
【図１３】
0003779147.tif 000014